(57)【要約】【課題】無線通信端末との接続を実行することができる無線基地局をさらに確実に選択させることができる無線通信システム、当該無線通信システムにおいて用いられる無線基地局及び無線通信端末を提供する。【解決手段】本発明に係る無線通信端末２００は、無線基地局１００Ｂと異なる無線基地局１００Ａに対して送信したＬＣＨ確立要求が拒否された場合、受信した接続可能メッセージに基づいて、接続可能メッセージを送信した無線基地局１００ＢにＬＣＨ確立要求を送信する。【選択図】図４
2007129484.tif 000002
【特許請求の範囲】
【請求項１】
無線通信端末と、第１の無線基地局と、第２の無線基地局とを少なくとも含む無線通信システムであって、
前記第２の無線基地局は、
前記第１の無線基地局に対して送信された接続要求である他局宛て接続要求を受信する他局宛て接続要求受信部と、
前記他局宛て接続要求受信部が受信した前記他局宛て接続要求に基づいて、前記他局宛て接続要求を送信した前記無線通信端末との接続を実行できるか否かを判定する接続判定部と、
前記接続判定部によって前記無線通信端末との接続を実行できると判定された場合、前記第２の無線基地局の識別子を含み、前記無線通信端末との接続を実行できることを示す接続可能メッセージを前記無線通信端末に送信する接続可能メッセージ送信部と
を備え、
前記無線通信端末は、
前記第２の無線基地局から前記接続可能メッセージを受信する接続可能メッセージ受信部と、
前記第１の無線基地局に対して送信した前記接続要求が拒否された場合、前記接続可能メッセージ受信部が受信した前記接続可能メッセージに基づいて、前記接続可能メッセージを送信した前記第２の無線基地局に接続要求を送信する接続要求送信部と
を備える無線通信システム。
【請求項２】
前記接続可能メッセージ送信部は、使用可能な通信チャネル数を含む接続可能メッセージを送信する請求項１に記載の無線通信システム。
【請求項３】
前記接続可能メッセージ送信部は、前記接続可能メッセージを所定時間に到達するまで繰り返し送信する請求項１に記載の無線通信システム。
【請求項４】
無線通信端末との接続を実行する無線基地局であって、
前記無線基地局と異なる他の無線基地局に対して送信された接続要求である他局宛て接続要求を受信する他局宛て接続要求受信部と、
前記他局宛て接続要求受信部が受信した前記他局宛て接続要求に基づいて、前記他局宛て接続要求を送信した前記無線通信端末との接続を実行できるか否かを判定する接続判定部と、
前記接続判定部によって前記無線通信端末との接続を実行できると判定された場合、前記無線基地局の識別子を含み、前記無線通信端末との接続を実行できることを示す接続可能メッセージを前記無線通信端末に送信する接続可能メッセージ送信部と
を備える無線基地局。
【請求項５】
前記接続可能メッセージ送信部は、使用可能な通信チャネル数を含む接続可能メッセージを送信する請求項４に記載の無線基地局。
【請求項６】
前記接続可能メッセージ送信部は、前記接続可能メッセージを所定時間に到達するまで繰り返し送信する請求項４に記載の無線基地局。
【請求項７】
無線基地局との接続を実行する無線通信端末であって、
前記無線基地局から、前記無線基地局の識別子を含み、前記無線通信端末との接続を実行できることを示す接続可能メッセージを受信する接続可能メッセージ受信部と、
前記無線基地局と異なる他の無線基地局に対して送信した接続要求が拒否された場合、前記接続可能メッセージ受信部が受信した前記接続可能メッセージに基づいて、前記接続可能メッセージを送信した前記無線基地局に接続要求を送信する接続要求送信部と
を備える無線通信端末。
【発明の詳細な説明】
【技術分野】
【０００１】
本発明は、無線通信端末と、接続要求に基づいて当該無線通信端末との接続を実行する複数の無線基地局とを含む無線通信システム、当該無線通信システムにおいて用いられる無線基地局及び無線通信端末に関する。
【背景技術】
【０００２】
従来、ＰＨＳ（personal handyphone system）に準拠した無線通信システムでは、無線通信端末（以下、“ＰＳ”と適宜省略する）が無線基地局（以下、“ＣＳ”と適宜省略する）との接続を実行する場合、ＰＳが、無線通信の状態（例えば、受信信号強度）に基づいて、“接続候補ＣＳ”を検出する。
【０００３】
次いで、ＰＳは、検出した接続候補ＣＳの中から最も無線通信の状態が良好な接続候補ＣＳを選択し、選択した接続候補ＣＳに対して接続要求（リンクチャネル確立要求）を送信する。
【０００４】
ここで、選択した接続候補ＣＳが接続要求を拒否した場合、例えば、必要な無線リソース（例えば、タイムスロット）が不足しているため、当該接続候補ＣＳが接続要求を拒否した場合、ＰＳは、次に無線通信の状態が良好な接続候補ＣＳに対して接続要求を送信する（例えば、特許文献１）。
【特許文献１】特開２００１−１１２０３８号公報（第５−６頁、第４−５図）
【発明の開示】
【発明が解決しようとする課題】
【０００５】
しかしながら、上述した従来の無線通信システムには、次のような問題があった。すなわち、ＰＳを接続できるか否かは、必要とする無線リソースの使用状況などによって異なるため、ＰＳが検出した接続候補ＣＳのうち、最も無線通信の状態が良好な接続候補ＣＳが常に当該ＰＳとの接続を実行できるとは限らないといった問題があった。
【０００６】
特に、ＰＳが受信信号強度に基づいて接続するＣＳを選択する場合、受信信号強度がそれほど強くないものの無線リソースなどに空きがありＰＳとの接続を実行することができるＣＳが存在するにも拘わらず、受信信号強度の強いが無線リソースに空きがないＣＳが選択され得る。この結果、ＰＳとの接続を実行することができるＣＳが存在するにも拘わらず、ＰＳとの接続を実行することができないＣＳに接続要求を送信し続けるといった問題があった。
【０００７】
そこで、本発明は、このような状況に鑑みてなされたものであり、無線通信端末との接続を実行することができる無線基地局をより確実かつ迅速に選択できる無線通信システム、当該無線通信システムにおいて用いられる無線基地局及び無線通信端末を提供することを目的とする。
【課題を解決するための手段】
【０００８】
上述した問題を解決するため、本発明は、次のような特徴を有している。まず、本発明の第１の特徴は、無線通信端末（ＰＳ２００）と、第１の無線基地局（例えば、ＣＳ１００Ａ）と、第２の無線基地局（例えば、ＣＳ１００Ｂ）とを少なくとも含む無線通信システム（無線通信システム１０）であって、前記第２の無線基地局は、前記第１の無線基地局に対して送信された接続要求である他局宛て接続要求（リンクチャネル確立要求）を受信する他局宛て接続要求受信部（無線信号処理部１０３及び中央制御部１０７）と、前記他局宛て接続要求受信部が受信した前記他局宛て接続要求に基づいて、前記他局宛て接続要求を送信した前記無線通信端末との接続を実行できるか否かを判定する接続判定部（中央制御部１０７）と、前記接続判定部によって前記無線通信端末との接続を実行できると判定された場合、前記第２の無線基地局の識別子（例えば、ＣＳＩＤ）を含み、前記無線通信端末との接続を実行できることを示す接続可能メッセージ（接続可能メッセージＭ）を前記無線通信端末に送信する接続可能メッセージ送信部（無線信号処理部１０３及び中央制御部１０７）とを備え、前記無線通信端末は、前記第２の無線基地局から前記接続可能メッセージを受信する接続可能メッセージ受信部（無線信号処理部２０３及び制御部２０５）と、前記第１の無線基地局に対して送信した前記接続要求が拒否された場合、前記接続可能メッセージ受信部が受信した前記接続可能メッセージに基づいて、前記接続可能メッセージを送信した前記第２の無線基地局に接続要求を送信する接続要求送信部（無線信号処理部２０３及び制御部２０５）とを備えることを要旨とする。
【０００９】
このような無線通信システムによれば、無線通信端末は、第１の無線基地局に対して送信した接続要求が拒否された場合、第２の無線基地局から受信した接続可能メッセージに基づいて、第２の無線基地局に接続要求を送信する。
【００１０】
このため、無線通信端末との接続を実行することができる無線基地局が存在するにも拘わらず、無線通信端末との接続を実行することができない無線基地局に接続要求を送信し続けるといった問題を解消することができる。
【００１１】
すなわち、このような無線通信システムでは、無線通信端末との接続を実行することができる無線基地局をより確実かつ迅速に当該無線通信端末に選択させることができる。
【００１２】
本発明の第２の特徴は、本発明の第１の特徴に係り、前記接続可能メッセージ送信部は、使用可能な通信チャネル数を含む接続可能メッセージを送信することを要旨とする。
【００１３】
本発明の第３の特徴は、本発明の第１の特徴に係り、前記接続可能メッセージ送信部は、前記接続可能メッセージを所定時間（例えば、３００ｍｓ）に到達するまで繰り返し送信することを要旨とする。
【００１４】
本発明の第４の特徴は、無線通信端末との接続を実行する無線基地局であって、前記無線基地局と異なる他の無線基地局に対して送信された接続要求である他局宛て接続要求を受信する他局宛て接続要求受信部と、前記他局宛て接続要求受信部が受信した前記他局宛て接続要求に基づいて、前記他局宛て接続要求を送信した前記無線通信端末との接続を実行できるか否かを判定する接続判定部と、前記接続判定部によって前記無線通信端末との接続を実行できると判定された場合、前記無線基地局の識別子を含み、前記無線通信端末との接続を実行できることを示す接続可能メッセージを前記無線通信端末に送信する接続可能メッセージ送信部とを備えることを要旨とする。
【００１５】
本発明の第５の特徴は、本発明の第４の特徴に係り、前記接続可能メッセージ送信部は、使用可能な通信チャネル数を含む接続可能メッセージを送信することを要旨とする。
【００１６】
本発明の第６の特徴は、本発明の第４の特徴に係り、前記接続可能メッセージ送信部は、前記接続可能メッセージを所定時間に到達するまで繰り返し送信することを要旨とする。
【００１７】
本発明の第７の特徴は、無線基地局との接続を実行する無線通信端末であって、前記無線基地局から、前記無線基地局の識別子を含み、前記無線通信端末との接続を実行できることを示す接続可能メッセージを受信する接続可能メッセージ受信部と、前記無線基地局と異なる他の無線基地局に対して送信した接続要求が拒否された場合、前記接続可能メッセージ受信部が受信した前記接続可能メッセージに基づいて、前記接続可能メッセージを送信した前記無線基地局に接続要求を送信する接続要求送信部とを備えることを要旨とする。
【発明の効果】
【００１８】
本発明の特徴によれば、無線通信端末との接続を実行することができる無線基地局をより確実かつ迅速に選択させることができる無線通信システム、当該無線通信システムにおいて用いられる無線基地局及び無線通信端末を提供することができる。
【発明を実施するための最良の形態】
【００１９】
次に、本発明の実施形態について説明する。なお、以下の図面の記載において、同一または類似の部分には、同一または類似の符号を付している。ただし、図面は模式的なものであり、各寸法の比率などは現実のものとは異なることに留意すべきである。
【００２０】
したがって、具体的な寸法などは以下の説明を参酌して判断すべきものである。また、図面相互間においても互いの寸法の関係や比率が異なる部分が含まれていることは勿論である。
【００２１】
（無線通信システムの全体概略構成）
図１は、本実施形態に係る無線通信システム１０の全体概略構成図である。図１に示すように、無線通信システム１０は、無線基地局（以下、ＣＳ）１００Ａ〜ＣＳ１００Ｃと、無線通信端末（以下、ＰＳ）２００とを含む。なお、無線通信システム１０に含まれるＣＳ及びＰＳの数は、図１に示した数に限定されるものではない。
【００２２】
無線通信システム１０は、ＴＤＭＡ／ＴＤＤ方式を用いるＰＨＳ（personal handyphone system）に準拠した無線通信システムであり、本実施形態では、１．９ＧＨｚ帯の周波数を用いて無線通信を実行する。
【００２３】
具体的には、ＰＳ２００によって送信されるリンクチャネル確立要求（接続要求）に基づいて、ＣＳ（例えば、ＣＳ１００Ａ）は、ＰＳ２００との接続を実行し、通信チャネル（無線周波数及びタイムスロットの組合せ）をＰＳ２００との無線通信に割り当てる。その後、ＰＳ２００は、割り当てられた通信チャネルを用いて、ＣＳ１００Ａとの無線通信を開始する。
【００２４】
（無線通信システムの機能ブロック構成）
次に、無線通信システム１０の機能ブロック構成について説明する。図２は、ＣＳ１００Ａの機能ブロック構成図である。また、図３は、ＰＳ２００の機能ブロック構成図である。なお、ＣＳ１００Ｂ，１００ＣもＣＳ１００Ａと同様の機能ブロック構成を有している。
【００２５】
なお、以下、本発明との関連がある部分について主に説明する。したがって、ＣＳ１００Ａ及びＰＳ２００は、同装置の機能を実現する上で必須な、図示しない或いは説明を省略したブロック（例えば、ＰＳ２００における表示部など）を備える場合があることに留意されたい。
【００２６】
（１）無線基地局
図２に示すように、ＣＳ１００Ａは、無線部１０１、無線信号処理部１０３、無線制御部１０５、中央制御部１０７、回線制御部１０９及び電源部１１１を備えている。
【００２７】
無線部１０１は、アンテナ１０１ａを有し、１．９ＧＨｚ帯の無線周波数を用いる送信機と受信機とによって構成されている。
【００２８】
無線信号処理部１０３は、無線部１０１及び中央制御部１０７と接続される。また、無線信号処理部１０３は、無線制御部１０５とも接続される。
【００２９】
無線信号処理部１０３は、ＤＳＰ（digital signal processor）を有し、無線制御部１０５による制御に基づいて、中央制御部１０７によって出力された信号のデジタル変調処理、及び無線部１０１によって出力された信号のデジタル復調処理を実行する。また、無線信号処理部１０３は、当該信号の多重化（及び分離）処理を実行する。
【００３０】
無線制御部１０５は、中央制御部１０７による指示などに応じて、無線信号処理部１０３を制御する。また、無線制御部１０５は、無線部１０１及び無線信号処理部１０３において用いられる無線通信に関するプロトコルにしたがった処理を実行する。
【００３１】
中央制御部１０７は、ＣＳ１００Ａを構成する各機能ブロックを制御する。また、中央制御部１０７は、無線信号処理部１０３と回線制御部１０９との間において設定される通話路の設定や解放（交換制御）を実行する。
【００３２】
さらに、中央制御部１０７は、他の無線基地局に対して送信されたリンクチャネル（ＬＣＨ）確立要求である他局宛てＬＣＨ確立要求（他局宛て接続要求）を受信する。本実施形態において、中央制御部１０７は、他局宛て接続要求受信部を構成する。
【００３３】
また、中央制御部１０７は、受信した他局宛てＬＣＨ確立要求に基づいて、当該他局宛てＬＣＨ確立要求を送信したＰＳ２００との接続を実行できるか否かを判定する。本実施形態において、中央制御部１０７は、接続判定部を構成する。
【００３４】
具体的には、中央制御部１０７は、ＰＳ２００との接続を実行するために必要となる通信チャネル、及び回線制御部１０９に収容される回線（ＩＳＤＮ回線）の使用状況に基づいて、ＰＳ２００との接続を実行できるか否かを判定する。
【００３５】
より具体的には、中央制御部１０７は、通信チャネルや回線に使用されていない“空き”がある場合、ＰＳ２００との接続を実行できると判定する。
【００３６】
中央制御部１０７は、ＰＳ２００との接続を実行できると判定した場合、図７に示すように、ＰＳ２００の識別子（例えば、ＣＳＩＤ）を含み、ＰＳ２００との接続を実行できることを示す接続可能メッセージＭをＰＳ２００に送信する。本実施形態において、中央制御部１０７は、接続可能メッセージ送信部を構成する。
【００３７】
図７に示すように、接続可能メッセージＭは、“ＣＳＩＤ”と、“割当可能チャネル数”とを含む。ＣＳＩＤは、ＣＳ１００Ａを識別する識別子であり、ＣＳ１００Ａに固有な値が割り当てられる。割当可能チャネル数は、ＣＳ１００ＡがＰＳとの無線通信に割り当てることができる通信チャネル数を示す。
【００３８】
また、中央制御部１０７は、接続可能メッセージＭを所定時間（例えば、３００ｍｓ）に到達するまで繰り返し送信することができる。
【００３９】
回線制御部１０９は、ＩＳＤＮ回線（具体的には、Ｉ’回線）を接続し、ＩＳＤＮに関するプロトコルにしたがった処理を実行する。
【００４０】
電源部１１１は、ＣＳ１００Ａを構成する各機能ブロックに対して必要な電力を供給する。
【００４１】
（２）無線通信端末
図３に示すように、ＰＳ２００は、無線部２０１、無線信号処理部２０３、制御部２０５、音声信号処理部２０７、マイク２０９、スピーカ２１１及び電源部２１３を備えている。
【００４２】
無線部２０１は、アンテナ２０１ａを有し、１．９ＧＨｚ帯の無線周波数を用いる送信機と受信機とによって構成されている。
【００４３】
無線信号処理部２０３は、無線部２０１及び音声信号処理部２０７と接続される。また、無線信号処理部２０３は、制御部２０５とも接続される。
【００４４】
無線信号処理部２０３は、ＤＳＰ（digital signal processor）を有し、制御部２０５による制御に基づいて、音声信号処理部２０７によって出力された信号のデジタル変調処理、及び無線部１０１によって出力された信号のデジタル復調処理などを実行する。
【００４５】
制御部２０５は、無線信号処理部２０３及び音声信号処理部２０７を制御する。特に、本実施形態では、制御部２０５は、無線部２０１及び無線信号処理部２０３を介して、ＣＳ（例えば、ＣＳ１００Ｂ）から接続可能メッセージＭを受信する。本実施形態では、無線信号処理部２０３と制御部２０５とによって、接続可能メッセージ受信部が構成される。
【００４６】
また、制御部２０５は、無線通信の状態、具体的には、受信信号強度に基づいて、“接続候補ＣＳ”を検出する。
【００４７】
ここで、図８（ａ）は、制御部２０５が検出した接続候補ＣＳに基づいて、制御部２０５が生成する“接続候補ＣＳリスト”の一例を示している。図８（ａ）に示すように、接続候補ＣＳリストは、“優先度”、“ＣＳＩＤ”及び“受信信号強度（ＲＳＳＩ）”によって構成されている。なお、接続候補ＣＳリストの内容の更新に関する具体的な動作については、後述する。
【００４８】
制御部２０５は、検出した接続候補ＣＳの中から最も無線通信の状態が良好な接続候補ＣＳ（例えば、ＣＳ１００Ａ）を選択し、ＣＳ１００Ａに対してＬＣＨ確立要求を送信する。
【００４９】
さらに、制御部２０５は、ＣＳ１００Ａ（第１の無線基地局）に対して送信したＬＣＨ確立要求が拒否された場合、受信した接続可能メッセージＭに基づいて、当該接続可能メッセージＭを送信したＣＳ１００Ｂ（第２の無線基地局）にＬＣＨ確立要求を送信する。本実施形態では、無線信号処理部２０３と制御部２０５とによって、接続要求送信部が構成される。
【００５０】
音声信号処理部２０７は、マイク２０９によって取得された音声信号、及びスピーカ２１１に出力される音声信号のデジタル変換処理などを実行する。
【００５１】
電源部２１３は、ＰＳ２００を構成する各機能ブロックに対して必要な電力を供給する。本実施形態では、電源部２１３は、小型のバッテリによって構成される。
【００５２】
（無線通信システムの動作）
次に、無線通信システム１０の動作について説明する。具体的には、ＰＳ２００が接続可能メッセージＭを送信したＣＳ１００Ｂとの接続を実行し、通信を開始するまでの動作について説明する。
【００５３】
（１）全体概略動作
図４は、無線通信システム１０の全体概略動作を示すシーケンス図である。なお、ＣＳ（ＣＳ１００Ａ，１００Ｂ）及びＰＳ２００における具体的な処理内容については、図５及び図６を参照しながら後述する。
【００５４】
図４に示すように、ステップＳ１０Ａにおいて、ＰＳ２００は、ＬＣＨ確立要求をＣＳ１００Ａ（第１の無線基地局）に対して送信する。
【００５５】
ステップＳ１０Ｂにおいて、ＣＳ１００Ｂは、ＣＳ１００Ａに対して送信されたＬＣＨ確立要求を受信する。つまり、ＣＳ１００Ｂ（第２の無線基地局）は、ＰＳ２００がＣＳ１００Ａに対して送信したＬＣＨ確立要求（他局宛てＬＣＨ確立要求）を傍受して、当該ＬＣＨ確立要求を取得する。なお、ステップＳ１０Ａ及びＳ１０Ｂの処理は、ほぼ同時に実行される。
【００５６】
ステップＳ２０において、ＣＳ１００Ｂは、ＰＳ２００との接続を実行できることを示す接続可能メッセージＭをＰＳ２００に送信する。
【００５７】
ステップＳ３０において、ＣＳ１００Ａは、ＰＳ２００との接続を拒否するＬＣＨ割当拒否をＰＳ２００に送信する。なお、ＬＣＨ割当拒否は、無線リソース（無線周波数やタイムスロット）またはＩ’回線に、使用されていない“空き”がない場合に送信される。
【００５８】
ステップＳ４０において、ＰＳ２００は、ＣＳ１００Ｂから接続可能メッセージＭを受信したことに基づいて、ＣＳ１００Ｂに対してＬＣＨ確立要求を送信する。
【００５９】
ステップＳ５０において、ＣＳ１００Ｂは、ＰＳ２００からＬＣＨ確立要求を受信したことに基づいて、ＰＳ２００との無線通信に用いられる通信チャネル（無線周波数及びタイムスロットの組合せ）を割り当てる。
【００６０】
ステップＳ６０において、ＰＳ２００及びＣＳ１００Ｂは、割り当てられた通信チャネルを用いて接続を実行し、無線通信を開始する。
【００６１】
（２）無線基地局での処理内容
図５は、上述した無線通信システム１０の全体概略動作において、ＣＳ１００Ａが実行する処理フローを示している。なお、ＣＳ１００ＢもＣＳ１００Ａと同様の処理を実行する。
【００６２】
ステップＳ１１０において、ＣＳ１００Ａは、ＰＳ２００から受信したＬＣＨ確立要求が自局向け、つまり、ＣＳ１００Ａ向けに送信されたＬＣＨ確立要求であるか否かを判定する。具体的には、ＣＳ１００Ａは、ＬＣＨ確立要求に含まれるＣＳＩＤに基づいて、自局向けのＬＣＨ確立要求であるか否かを判定する。
【００６３】
ＰＳ２００から受信したＬＣＨ確立要求が自局向けのＬＣＨ確立要求である場合（ステップＳ１１０のＹＥＳ）、ステップＳ１２０において、ＣＳ１００Ａは、当該ＬＣＨ確立要求の内容を受け付けることができるか否かを判定する。具体的には、ＣＳ１００Ａは、ＰＳ２００との接続に必要となる通信チャネルやＩ’回線に、使用されていない空きがあるか否かを判定する。
【００６４】
当該ＬＣＨ確立要求の内容を受け付けることができる場合（ステップＳ１２０のＹＥＳ）、ステップＳ１３０において、ＣＳ１００Ａは、通信チャネル選択処理を実行する。具体的には、ＣＳ１００Ａは、使用されていない無線周波数及びタイムスロットの組合せである通信チャネルを選択する。また、ＣＳ１００Ａは、通信チャネルの選択と合わせて、Ｉ’回線上のチャネルも選択する。
【００６５】
ステップＳ１４０において、ＣＳ１００Ａは、選択した通信チャネルの情報（無線周波数及びタイムスロット番号）を含む“ＬＣＨ割当”をＰＳ２００に送信する。
【００６６】
一方、当該ＬＣＨ確立要求の内容を受け付けることができない場合（ステップＳ１２０のＮＯ）、ステップＳ１５０において、ＣＳ１００Ａは、ＰＳ２００のＬＣＨ確立要求を拒否することを示す“ＬＣＨ割当拒否”をＰＳ２００に送信する。
【００６７】
また、ＰＳ２００から受信したＬＣＨ確立要求が自局向けのＬＣＨ確立要求ではない場合（ステップＳ１１０のＮＯ）、すなわち、当該ＬＣＨ確立要求が他のＣＳ向けのＬＣＨ確立要求（他局宛てＬＣＨ確立要求）である場合、ステップＳ１６０において、ＣＳ１００Ａは、当該ＬＣＨ確立要求の内容を受け付けることができるか否かを判定する。具体的には、ＣＳ１００Ａは、ステップＳ１２０の処理と同様に、ＰＳ２００との接続に必要となる通信チャネルやＩ’回線に、使用されていない空きがあるか否かを判定する。
【００６８】
当該ＬＣＨ確立要求の内容を受け付けることができる場合（ステップＳ１６０のＹＥＳ）、ステップＳ１７０において、ＣＳ１００Ａは、ＰＳ２００との接続を実行できることを示す接続可能メッセージＭをＰＳ２００に送信する。
【００６９】
なお、接続可能メッセージＭは、上述したように、ＣＳＩＤと、割当可能チャネル数とを含む（図７参照）。
【００７０】
一方、当該ＬＣＨ確立要求の内容を受け付けることができない場合（ステップＳ１６０のＮＯ）、ＣＳ１００Ａは処理を終了する。
【００７１】
（３）無線通信端末での処理内容
図６は、上述した無線通信システム１０の全体概略動作において、ＰＳ２００が実行する処理フローを示している。
【００７２】
ステップＳ２１０において、ＰＳ２００は、ＣＳとの無線通信を開始するため、接続候補ＣＳを検出する。具体的には、ＰＳ２００は、ＣＳから送信される無線信号の受信信号強度（ＲＳＳＩ）に基づいて、所定の閾値以上のＲＳＳＩを有するＣＳを接続候補ＣＳとして検出する。
【００７３】
ステップＳ２２０において、ＰＳ２００は、検出した接続候補ＣＳのＲＳＳＩに基づいて、図８（ａ）に示したような接続候補ＣＳリストを生成する。図８（ａ）に示すように、ここでは、ＣＳ１００ＡのＲＳＳＩが最も高いため、ＣＳ１００Ａの優先度が最も高く設定されているものとする。
【００７４】
なお、ＰＳ２００は、受信信号強度が同等の場合は、接続可能メッセージＭに含まれる割当可能チャネル数が多いＣＳの優先度を高く設定してもよい。
【００７５】
次いで、ステップＳ２３０において、ＰＳ２００は、ＬＣＨ確立フェーズタイマを起動する。
【００７６】
ステップＳ２４０において、ＰＳ２００は、接続候補ＣＳリストに基づいて、最も優先度が高く設定されているＣＳ１００Ａに対して、ＬＣＨ確立要求を送信する。
【００７７】
ステップＳ２５０において、ＰＳ２００は、ＬＣＨ確立フェーズタイマによって計時される所定の時間（例えば、３００ｍｓ）が経過し、ＬＣＨ確立フェーズタイマが停止したか否かを判定する。
【００７８】
ＬＣＨ確立フェーズタイマが停止していない場合（ステップＳ２５０のＮＯ）、ステップＳ２６０において、ＰＳ２００は、ＣＳ１００ＡからＬＣＨ割当を受信したか否かを判定する。
【００７９】
ＣＳ１００ＡからＬＣＨ割当を受信していない場合（ステップＳ２６０のＮＯ）、ステップＳ２７０において、ＰＳ２００は、ＣＳ１００ＡからＬＣＨ割当拒否を受信したか否かを判定する。
【００８０】
一方、ＬＣＨ確立フェーズタイマが停止している場合（ステップＳ２５０のＹＥＳ）、及びＣＳ１００ＡからＬＣＨ割当を受信した場合（ステップＳ２６０のＹＥＳ）、ＰＳ２００は、処理を終了する。なお、ＣＳ１００ＡからＬＣＨ割当を受信した場合（ステップＳ２６０のＹＥＳ）、ＰＳ２００は、別途ＣＳ１００Ａとの接続を実行する。
【００８１】
ＣＳ１００ＡからＬＣＨ割当拒否を受信した場合（ステップＳ２７０のＹＥＳ）、ステップＳ２８０において、ＰＳ２００は、ＬＣＨ割当拒否を送信したＣＳ１００Ａを、ステップＳ２２０において生成した接続候補ＣＳリストから削除する。
【００８２】
具体的には、ＰＳ２００は、図８（ａ）に示す接続候補ＣＳリストの内容からＣＳ１００Ａのエントリを削除する。
【００８３】
ＣＳ１００ＡからＬＣＨ割当拒否を受信していない場合（ステップＳ２７０のＮＯ）、ステップＳ２９０において、ＰＳ２００は、他のＣＳ（例えば、ＣＳ１００Ｂ）から接続可能メッセージＭを受信したか否かを判定する。なお、ＰＳ２００は、各ＣＳの制御チャネルの送信タイミングにおいて、接続可能メッセージＭを受信できるように待ち受ける。
【００８４】
他のＣＳから接続可能メッセージＭを受信した場合（ステップＳ２９０のＹＥＳ）、ステップＳ３００において、ＰＳ２００は、接続候補ＣＳリストに接続可能メッセージＭを送信したＣＳ（例えば、ＣＳ１００Ｂ）のエントリを、優先度を最も高く設定した状態に更新する。
【００８５】
具体的には、ＰＳ２００は、ＣＳ１００Ｂから接続可能メッセージＭを受信した場合、図８（ｂ）に示すように、受信信号強度に拘わらず、ＣＳ１００Ｂの優先度を最も高くした状態に更新する。
【００８６】
なお、ステップＳ３００の処理の後、ＰＳ２００は、上述したように、更新された接続候補ＣＳリスト（図８（ｂ）参照）に基づいて、ＣＳ１００Ｂに対してＬＣＨ確立要求を送信する（図４のステップＳ４０参照）。
【００８７】
なお、ＰＳ２００が複数の接続可能メッセージＭを当該所定時間内に受信した場合、ＰＳ２００は、受信信号強度が強いＣＳに高い優先度を割り当てる。
【００８８】
一方、接続可能メッセージＭを受信しない場合（ステップＳ２９０のＮＯ）、ＰＳ２００は、ステップＳ２５０からの処理を繰り返す。
【００８９】
（作用・効果）
以上説明した無線通信システム１０によれば、ＰＳ２００は、ＣＳ１００Ａ（第１の無線基地局）に対して送信したＬＣＨ確立要求が拒否された場合、ＣＳ１００Ｂ（第２の無線基地局）から受信した接続可能メッセージＭに基づいて、ＣＳ１００ＢにＬＣＨ確立要求を送信する。
【００９０】
このため、ＰＳ２００との接続を実行することができるＣＳ１００Ｂが存在するにも拘わらず、ＰＳ２００との接続を実行することができないＣＳ１００ＡにＬＣＨ確立要求を送信し続けるといった問題を解消することができる。
【００９１】
すなわち、無線通信システム１０では、ＰＳ２００との接続を実行することができるＣＳをより確実かつ迅速にＰＳ２００に選択させることができる。
【００９２】
特に、通信トラフィック量が多く、各ＣＳの通信チャネル（及びＩ’回線）の空き容量が極端に少なくなっている場合でも、ＰＳ２００は、接続を実行することができるＣＳに対して、確実にＬＣＨ確立要求を送信することができる。このため、各ＣＳの通信チャネルなどの空き容量が極端に少なくなっている場合において、いわゆる接続率を格段に向上させることができる。
【００９３】
また、本実施形態では、接続可能メッセージＭに割当可能チャネル数の情報が含まれるため、ＰＳ２００は、受信信号強度が同等の場合、割当可能チャネル数が多いＣＳに対して優先的にＬＣＨ確立要求を送信することができる。このため、当該接続可能メッセージＭを送信したＣＳに対してＬＣＨ確立要求が集中した場合でも、ＰＳ２００との接続を実行することができる可能性が高いＣＳをＰＳ２００に選択させることができる。
【００９４】
さらに、本実施形態では、ＣＳ（例えば、ＣＳ１００Ｂ）は、接続可能メッセージＭを所定時間（例えば、３００ｍｓ）に到達するまで繰り返し送信するため、ＰＳ２００はさらに確実に接続可能メッセージＭを受信することができる。また、ＣＳ１００Ｂは、所定時間経過後、接続可能メッセージＭの送信を終了するため、接続可能メッセージＭの送信開始から所定時間内に、ＣＳ１００Ｂが、ＰＳ２００からＬＣＨ確立要求を受信することができない場合でも、ＣＳ１００Ｂは、ＬＣＨ確立要求の受信待ち受け状態を継続することなく、処理を正常に終了することができる。
【００９５】
（その他の実施形態）
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【００９６】
例えば、上述した本発明の実施形態では、ＣＳが接続可能メッセージＭを所定時間に到達するまで繰り返し送信する形態としたが、ＣＳは、所定時間に到達するまでではなく、接続可能メッセージＭを所定“回数”に到達するまで繰り返し送信するようにしてもよい。
【００９７】
また、上述した本発明の実施形態では、接続可能メッセージＭに割当可能チャネル数が含まれる形態としたが、割当可能チャネル数は、必ずしも接続可能メッセージＭに含まれなくても構わない。
【００９８】
さらに、上述したＣＳ１００Ａの無線信号処理部１０３及び中央制御部１０７の機能は、コンピュータや通信装置において実行可能なプログラムとしても提供することができる。同様に、ＰＳ２００の無線信号処理部２０３及び制御部２０５の機能も、コンピュータや通信装置において実行可能なプログラムとしても提供することができる。
【００９９】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【０１００】
【図１】本発明の実施形態に係る無線通信システムの全体概略構成図である。
【図２】本発明の実施形態に係る無線基地局の機能ブロック構成図である。
【図３】本発明の実施形態に係る無線通信端末の機能ブロック構成図である。
【図４】本発明の実施形態に係る無線通信システムの全体概略動作を示すシーケンス図である。
【図５】本発明の実施形態に係る無線基地局の処理フローを示す図である。
【図６】本発明の実施形態に係る無線通信端末の処理フローを示す図である。
【図７】本発明の実施形態に係る接続可能メッセージの一例を示す図である。
【図８】本発明の実施形態に係る接続候補ＣＳリストの一例を示す図である。
【符号の説明】
【０１０１】
１０…無線通信システム、１００Ａ〜１００Ｃ…無線基地局（ＣＳ）、１０１…無線部、１０１ａ…アンテナ、１０３…無線信号処理部、１０５…無線制御部、１０７…中央制御部、１０９…回線制御部、１１１…電源部、２００…無線通信端末（ＰＳ）、２０１…無線部、２０１ａ…アンテナ、２０３…無線信号処理部、２０５…制御部、２０７…音声信号処理部、２０９…マイク、２１１…スピーカ、２１３…電源部、Ｍ…接続可能メッセージ
【図１】
2007129484.tif 000003
【図２】
2007129484.tif 000004
【図３】
2007129484.tif 000005
【図４】
2007129484.tif 000006
【図５】
2007129484.tif 000007
【図６】
2007129484.tif 000008
【図７】
2007129484.tif 000009
【図８】
2007129484.tif 000010